(57)【要約】【課題】  基準バーコードをバーコードの読取位置の近傍に配置し、電源オン時のバーコードの読取率から変化した場合に、バーコードリーダ警告を行うようにした紙葉類処理装置を提供する。【解決手段】  初めに、装置の電源オンで、基準バーコード（基準ＢＣ）、の読取診断を２０００回連続に行い、読取率を算出する。この読取診断の結果、読取異常が無い場合には初期診断を終了する。この初期診断終了後の計数処理などの業務モード時で、装置が停止しているとき、又は診断要因があり装置が停止した場合、基準バーコードリーダの読取診断を行い、読取率を算出する。この読取率が電源オン時の読取率に比べて変化している場合には操作員に対してバーコードリーダ警告（ＢＣＲ警告）表示を行う。操作員はこの警告表示に基づいて、バーコードリーダを清掃など検査することができるので、装置の信頼性が確保でき、装置の利用効率を向上することができる。【選択図】  図１
2007156556.tif 000002
【特許請求の範囲】
【請求項１】
識別符号を付与したヘッダーカードを、処理単位毎に集積した紙葉類の先端に重ねて供給し、この供給されたヘッダーカード及び紙葉類を1枚ずつ搬送路に取り出して搬送し、搬送されたこれら媒体を区分処理する際、前記ヘッダーカードの識別符号を読み取る読取手段、及びこの読取手段の診断を行う診断手段を有する紙葉類処理装置であって、
前記読取手段は、
前記搬送路上の上面に配置され、前記ヘッダーカードを照射するための照射部と、照射された前記ヘッダーカードからの反射光を受光する受光部と、この受光部が受光した画像を認識する認識部と、を有する読取部と、
前記照射部と前記搬送路の間に配置され、前記照射部による照射範囲を設定し、かつ読取部を防塵する照射窓と、
前期受光部に対して前記搬送路の相対抗する下面に配置され、基準となる識別符号が付与された基準板と、を備え、
前記制御手段は、
当該装置が初期状態のとき、前記読取部が前記基準板に付与された識別符号を所定回数読み取ったときの読取率と、診断要因が発生したときにこれを検知し、同様に前記基準板に付与された識別符号を所定回数読み取ったときの読取率と、の間の変化を検知する検知手段と、
この検知手段によって変化が検知された場合に警告表示を行う警告手段と、
を備えたことを特徴とする紙葉類処理装置。
【請求項２】
前記照射窓は、
照射光を透過する透過体で構成され、かつ、前記搬送路の相対抗する下面に配置された基準板と平行に配置されていることを特徴とする請求項１記載の紙葉類処理装置。
【請求項３】
前記基準板は、
この基準板を保持する基準板装着ガイドに着脱可能に装填されていることを特徴とする請求項１又は請求項２記載の紙葉類処理装置。
【請求項４】
前記診断手段はさらに、
電源オンに伴う初期状態のときの前記読取率が正常でない場合にも前記警告手段による前記警告表示を行うことを特徴とする請求項1記載の紙葉類処理装置。
【請求項５】
前記診断要因は、
電源オン後、紙葉類処理装置による処理が終了したとき、又は当該紙葉類処理装置のカバーが開けられたときなど前記紙葉類の搬送が中断しているときに発生し、操作員によって診断終了が指示されたときに解除されることを特徴とする請求項１記載の紙葉類処理装置。
【発明の詳細な説明】
【技術分野】
【０００１】
本発明は、バーコードが印字されたヘッダーカードに基づいて、有価証券などの紙葉類を判別して区分処理する紙葉類処理装置に関し、特に、基準バーコード板を設け、バーコードの読取率を改善した紙葉類処理装置に関する。
【背景技術】
【０００２】
従来、ヘッダーカードを用いた銀行券処理装置などの紙葉類処理装置（以下、装置と称する。）では、回収した紙葉類の回収機関毎に用意されたヘッダーカードを当該紙葉類の先頭に重ね、一括して供給部に供給していた。供給部に供給されたヘッダーカード及び紙葉類は、取り出しローラによって1枚ずつ一定間隔に取り出され、紙葉類判別部によって当該ヘッダーカード及び紙葉類が判別される。
【０００３】
ヘッダーカードは、ヘッダーカードに印刷されている識別符号であるバーコードが読み取られ、ヘッダーカードが認識できた場合には、このヘッダーカード情報に基づいて、紙葉類の真偽判別（真券か偽券か）、種類（以下、券種と称する。）判別、搬送方向判別、正損判別（再流通可能な正券か再流通不可能な損券か）などの判別が行われる。この判別結果に基づいて、紙葉類は区分され、集積装置によって集積後、カセットに収納される。この際、集積装置で集積する券種及び搬送方向は、券種毎に操作員によって紙葉類処理装置を制御する操作表示部からキー入力又はタッチ入力などによって設定される。
【０００４】
ここで、紙葉類判別部によって認識されたヘッダーカードは、リジェクト集積部（排除券集積部）に集積され、後続して搬送された紙葉類は、上述したように紙葉類判別部の結果に基づいて区分処理される。一方、認識できなかったヘッダーカードは、リジェクト集積部に集積されるが、後続して搬送された紙葉類は、ヘッダーカードが認識できないために区分方法が定まらず、搬送される紙葉類をリジェクト集積部に集積すると共に、紙葉類処理装置を停止している。
【特許文献１】特開２００２−３３４３６２号公報  （第５頁、図５）
【発明の開示】
【発明が解決しようとする課題】
【０００５】
しかしながら、特許文献１記載の紙葉類処理装置では、ヘッダーカードのバーコードが読み取れなくなると、紙葉類が区分できなくなるため、装置の稼働率がバーコードの読取性能に大きく依存していた。バーコードが読み取れない原因には下記（１）〜（３）が考えられる。  
（１）バーコードリーダ（以下、ＢＣＲと称する。）自体に問題があり、バーコードが正しく読めない。  
（２）バーコードが印刷された印刷紙葉類（以下、ヘッダーカード）に、汚れ、バーコードの印字かすれなどがあり、バーコードが正しく読めない。  
（３）ＢＣＲの読み取り動作環境（装置内部の汚れなど）に問題があり、バーコードが正しく読めない。
【０００６】
従来は、上述したバーコードの読取性能が低下したときに、その原因追求が困難であるという課題があった。
【０００７】
本発明は、上記課題を解決するためになされたもので、基準となるバーコード（以下、基準バーコードと称する。）をバーコードの読み取り位置の近傍に配置し、装置の電源がオンしたときに基準バーコードを読み取ったバーコード読取率と、装置の処理が中断しているときに基準バーコードを読み取ったバーコード読取率とを比較することによってバーコードの読取率の変化を検知し、このバーコード読取率の変化が検知された場合には早期に警告を行うことによって、紙葉類処理装置の信頼性を確保し、かつ、利用効率を向上する紙葉類処理装置を提供する。
【課題を解決するための手段】
【０００８】
上記目的を達成するために、本発明の請求項１記載の紙葉類処理装置は、識別符号を付与したヘッダーカードを、処理単位毎に集積した紙葉類の先端に重ねて供給し、この供給されたヘッダーカード及び紙葉類を1枚ずつ搬送路に取り出して搬送し、搬送されたこれら媒体を区分処理する際、前記ヘッダーカードの識別符号を読み取る読取手段、及びこの読取手段の診断を行う診断手段を有する紙葉類処理装置であって、前記読取手段は、前記搬送路上の上面に配置され、前記ヘッダーカードを照射するための照射部と、照射された前記ヘッダーカードからの反射光を受光する受光部と、この受光部が受光した画像を認識する認識部と、を有する読取部と、前記照射部と前記搬送路の間に配置され、前記照射部による照射範囲を設定し、かつ読取部を防塵する照射窓と、前期受光部に対して前記搬送路の相対抗する下面に配置され、基準となる識別符号が付与された基準板と、を備え、前記制御手段は、当該装置が初期状態のとき、前記読取部が前記基準板に付与された識別符号を所定回数読み取ったときの読取率と、診断要因が発生したときにこれを検知し、同様に前記基準板に付与された識別符号を所定回数読み取ったときの読取率と、の間の変化を検知する検知手段と、この検知手段によって変化が検知された場合に警告表示を行う警告手段と、を備えたことを特徴とする。
【発明の効果】
【０００９】
本発明によれば、基準バーコードをバーコードの読み取り位置の近傍に配置し、装置の電源がオンしたときに基準バーコードを読み取ったバーコード読取率と、装置の処理が中断しているときに基準バーコードを読み取ったバーコード読取率とを比較することによって、バーコードの読取率の変化が検知された場合には早期に警告を行うことができるので、紙葉類処理装置の信頼性が確保でき、かつ、利用効率を向上することができる。
【発明を実施するための最良の形態】
【００１０】
以下、図面を参照して本発明の実施例を説明する。
【実施例】
【００１１】
図１は、本発明の実施例による紙葉類処理装置（装置）１１０の概略断面図である。この装置１１０は、紙葉類処理部１及び操作部５５０で構成される。操作部５５０には、キーボード又はマウスなどの入力部５５１及び操作表示部５５２が備えられており、この入力部５５１又は操作表示部（表示手段）５５２から操作員の操作によって、入金業務、整理業務などの取引方法の設定、処理した紙葉類の区分処理を行う集積装置５７〜６２で処理する券種、搬送方向などを設定するカセットアサイン設定、及び紙葉類の判別レベルである正損レベル設定などが行われる。この設定の後、供給部に供給されたヘッダーカード及び紙葉類は、取り出しローラによって1枚ずつ一定間隔に取り出される。
【００１２】
ヘッダーカードは、その特徴の一部が紙葉類判別部１９によって判別され、ヘッダーカードに印刷されたバーコードは、バーコードリーダ部７によって読み取られる。
【００１３】
また、紙葉類Ｐは、紙葉類判別部１９によって判別される。この紙葉類判別部１９による判別結果に基づいて、上記カセットアサイン設定によって設定された集積装置５７〜６２のカセット５７Ｄ〜６２Ｄに収納される。
【００１４】
また、設定した業務の取引終了時には、各業務終了に伴う取引の区切り処理が行われる。さらに、１日の業務終了などの単位で取引計数を集計するバランス処理が行われる。
【００１５】
入金業務とは、予め合計金額のわかっている複数券種の紙葉類Ｐを、紙葉類処理部１を用いて、券種毎、搬送方向毎、及び正損毎に区分し、紙葉類処理部１で計数した金額が正しいことを確認し、システム（上位ＰＣ６００）に登録する業務である。なお、この業務によって処理された紙葉類Ｐは、集積装置５７〜６２の各カセット５７Ｄ〜６２Ｄに集積される。
【００１６】
整理業務とは、入金業務においてシステムに計数を登録しない業務である。取引した券種を計数することが目的ではなく、一度入金業務などで計数を行った券種をさらに詳細に、例えば紙葉類の搬送方向毎に集積装置５７〜６２の各カセット５７Ｄ〜６２Ｄに集積するために使用される。
【００１７】
カセットアサイン設定とは、集積装置５７〜６２の各カセット５７Ｄ〜６２Ｄに収納する券種、搬送方向などを設定することである。
【００１８】
正損レベル設定とは、再流通可能な正券と再流通不可能な損券に区分する正損レベルを設定することである。なお、詳細は後述する。
【００１９】
取引の区切り処理とは、各取引終了後、例えば操作表示部５５２に設けられた完了ボタン（図示しない）が押下されたとき、上記集積装置５７〜６２に集積された紙葉類を各カセット５７Ｄ〜６２Ｄに収納する処理のことで、紙葉類が収納された各カセットは、操作員によって空のカセットと交換される。
【００２０】
ここで、紙葉類Ｐが搬送されるときの搬送方向について説明する。紙葉類Ｐは、表（Ｆａｃｅ：表を上にした状態）、裏（Ｂａｃｋ：裏を上にした状態）、正（Ｆｏｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせたＦＦ（表正）、ＦＲ（表逆）、ＢＦ（裏正）、ＢＲ（裏逆）からなる４種類の搬送方向が形成される。
【００２１】
紙葉類処理部１は、紙葉類Ｐを供給する供給部１０と、この供給部１０から供給された紙葉類Ｐを１枚ずつ取り出す紙葉類取出装置２００と、この紙葉類取出装置２００によって取り出された紙葉類Ｐを図示矢印Ａ１方向に搬送する搬送路１６とを有している。また、この搬送路１６によって搬送される紙葉類Ｐの搬送スキュー、搬送位置ずれ（搬送スライド）を補正する搬送補正部２１０が配置されている。さらに、この搬送補正部２１０によって搬送補正された紙葉類Ｐを１枚ずつ判別する紙葉類判別部１９、及び上記ヘッダーカードを読み取るバーコードリーダ部７が搬送路１６に沿って配置されている。
【００２２】
紙葉類判別部１９による紙葉類の判別結果及びバーコードリーダ部７の読取結果は、紙葉類処理装置１１０を制御する主制御部５００に搬送される。主制御部５００は、受信した判別結果に基づいて後述する搬送制御部を制御する。
【００２３】
搬送制御部は、紙葉類の搬送を制御するもので、分岐ゲートＧ１、Ｇ２、・・・Ｇ８、及び搬送方向を揃えるために反転する反転処理部９を制御する。このようにして搬送方向の揃えられた紙葉類Ｐは、操作表示部５５２によって設定された区分方法に基づいてから集積装置５７〜６２に集積される。
【００２４】
なお、紙葉類処理部１はインターフェース５０１を介して操作部５５２に接続されている。以下、紙葉類処理部１の構成を紙葉類Ｐの供給部から順に説明する。
【００２５】
上記供給部１０は、４種類の搬送方向が混在する紙葉類Ｐを当接して整位するステージ１１と、このステージ１１に対して鉛直方向に立設したバックアッププレート１２とで構成されている。また、このバックアッププレート１２は、バネ１３の付勢力によってステージ１１に沿って左側に移動可能になっている。このようにして供給された紙葉類Ｐは、バックアッププレート１２によりピックアップローラ５側に圧接される。この状態において、紙葉類Ｐは、取り出しローラ３０が回転することにより一定間隔を有して1枚ずつ取り出されて搬送路１６に繰り出される。
【００２６】
搬送ピッチ補正部２１０は、搬送ローラ２１１の搬送方向下流に近接して設置されて紙葉類Ｐを検知するタイミングセンサＳＣ１と、搬送ローラ２３１、２１４、及び図示しない搬送ガイドで構成される。
【００２７】
分岐ゲートＧ１は、例えば、リジェクト券と、処理券とに振り分けるゲートである。リジェクト券とは、紙葉類判別部１９で紙葉類Ｐを判別した結果、紙葉類Ｐが偽券、又は折れ、破れ、スキューなどにより判別のできない「判別不能券」と判別された紙葉類をいう。この判別結果を搬送制御部（詳細は、後述する）が受信すると、分岐ゲートＧ１を右側（時計方向）に回動することにより、当該リジェクト券をリジェクト集積部８０に集積する。なお、本実施例のヘッダーカードは、リジェクト券と同様にリジェクト集積部８０に集積される。
【００２８】
また、処理券とは、紙葉類判別部１９で判別された紙葉類Ｐが真券で正券、又は真券で損券と判別された紙葉類をいう。搬送制御部（詳細は、後述する。）は、その判別結果を受信すると、分岐ゲートＧ１を左側（反時計方向）に回動して、当該紙葉類を区分処理する方向に搬送する。
【００２９】
分岐ゲートＧ２は、表裏反転分岐ゲートである。紙葉類判別部１９で判別された紙葉類Ｐの搬送方向の結果に基づき、表裏反転を必要とする場合に右側（時計方向）に回動し、紙葉類Ｐを図示矢印Ａ６で示す表裏反転部９を通過させる。また、表裏反転を必要としない場合、分岐ゲートＧ２を、左側に回動し、紙葉類Ｐを図示矢印Ａ４で示す方向に搬送させる。
【００３０】
表裏反転部９は、紙葉類判別部１９で判別された結果に基づき、紙葉類Ｐの搬送方向の表裏を反転する。例えば搬送方向が裏逆（ＢＦ）の場合、表裏反転部９によって表正ＦＦになる。
【００３１】
分岐ゲート（第1分岐手段）Ｇ３は、搬送される紙葉類Ｐを搬送路（主搬送路）１６から集積部５７〜６２に分岐する分岐ゲートである。また、分岐ゲートＧ４〜Ｇ８は、ゲートＧ３で振り分けられた紙葉類Ｐを、各券種毎に集積部５７〜６２に集積するように振り分ける。
【００３２】
集積部５７〜６２には、紙葉類Ｐが搬送される搬送路から分離するために搬送路の終端に紙葉類Ｐを集積する集積装置として羽根車集積装置が設けられている。
【００３３】
この羽根車集積装置は、例えば、集積部５７の場合、羽根車５７Ａ、一時集積庫５７Ｂ、シャッター５７Ｃ、カセット５７Ｄ、及び集積を補佐するプッシャ（図示しない）などの装置で構成される。
【００３４】
羽根車５７Ａは、複数の羽根が回転軸の周辺に組み込まれており、搬送されてきた紙葉類Ｐを羽根と羽根の間で受け取れるように紙葉類Ｐの搬送に同期して回転している。この羽根車を使用することによって、高速に搬送される紙葉Ｐの運動エネルギーを吸収しながら、かつ、紙葉類Ｐを整位しながら一時集積庫５７Ｂに集積する。
【００３５】
集積部５７〜６２で使用される一時集積庫５７Ｂには、シャッター５７Ｃが備えられており、このシャッター５７Ｃの上に紙葉類Ｐが集積される。そして、このシャッター５７Ｃに集積された紙葉類Ｐは、例えば満杯になったとき、又は業務終了指示（図示しない）などがあると、シャッター５７Ｃが開き、シャッター５７Ｃ下部に設けられたカセット５７Ｄに落下して集積される。
【００３６】
図２は、主制御部５００に接続される紙葉類判別部１９、搬送制御部２６、操作部５５０、及びバーコードリーダ部７の接続状態を示すブロック図である。
【００３７】
主制御部５００は、主制御部５００を制御するＣＰＵ５０４、記憶部５０５、インターフェース部５０３を備えており、紙葉類判別部１９、搬送制御部２６、及びバーコードリーダ部７に接続される。また、インターフェース５０１を介して操作部５５０と接続される。
【００３８】
ＣＰＵ５０４は、操作表示部５５２から操作員によって設定された入金業務、整理業務などの取引方法の設定、処理した紙葉類Ｐを収納する収納庫を設定するカセットアサインの設定、紙葉類の判別レベルである正損判別レベル設定などの情報を紙葉類判別部１９に送信する。また、読取手段であるバーコードリーダ部７の読取診断を行うためにバーコードリーダに対して読取要求を行う（詳細は、後述する。）。
【００３９】
次に、ＣＰＵ５０４は、上述した操作表示部５５２の指示に基づいて、搬送された紙葉類Ｐの判別結果を紙葉類判別部１９から受信し紙葉類Ｐを区分処理する搬送制御部２６に送信する。
【００４０】
また、読取手段であるバーコードリーダ部７によるバーコードの読取結果を受信し、同様に搬送制御部２６に送信される。さらに、バーコードリーダ部７の診断要因が発生した場合には、バーコードリーダ部７の読取診断を行う（診断手段）。診断結果は、同様に搬送制御部２６に送信される。
【００４１】
紙葉類判別部１９は、正損レベル検知手段として紙葉類Ｐの光学的特性を検知する。また、真偽検知手段として紙葉類Ｐの磁気的特性を検知する。これらの検知を行うための複数のセンサ１〜ｎが設けられており、これらセンサ１〜ｎの出力信号を増幅する増幅回路１〜ｎ、この増幅回路１〜ｎの出力信号を処理する処理手段から構成される。この処理手段は、Ａ／Ｄ変換するためのＡ／Ｄ変換部２４、このＡ／Ｄ変換部２４でＡ／Ｄ変換されたデータを論理演算する論理回路部２３、この論理回路部２３の出力信号から真偽判別手段によって真偽（本物か偽物か）が判別され、正損判別手段によって正損（正券か損券か）が判別される。紙葉類判別部１９の全体を制御するＣＰＵ２１と、このＣＰＵ２１によってアクセスされる記憶部２５、及びＣＰＵ２１で判別された結果を主制御部５００との間で通信するためのＩ／Ｆ部２２とで構成される。
【００４２】
搬送制御部２６は、紙葉類判別部１９の判別結果、及びバーコードリーダ部７の読取結果により、搬送される紙葉類Ｐの行き先を決定して、紙葉類Ｐの搬送制御を行うＣＰＵ２７と、このＣＰＵ２７によってアクセスされる記憶部２９と、主制御部５００とのＩ／Ｆ部２８とで構成される。
【００４３】
図３は、バーコードリーダ部７の構成を説明するための概略図である。本実施例の読取部であるバーコードリーダ（ＢＣＲ）７０は、照射部、受光部、及び認識部から構成されており、照射部には所定の読み取り範囲θの間をスキャンするレーザ光７１が用いられている。受光部は、読み取り媒体（この場合は、ヘッダーカードＨＤ）から反射された反射光を受光する。認識部は、受光部によって読み取られた画像からバーコードを認識する。
【００４４】
バーコードレーザ照射面７２は、バーコードレーザの照射範囲を設定する窓である。レーザ光は、このバーコードレーザ照射面７２を透過して搬送路１６上を図示矢印Ａ７方向に搬送されるヘッダーカードＨＤを照射する。
【００４５】
また、このバーコードレーザ照射面７２に対して、搬送路１６の相対抗する位置には基準バーコード板７３が配置されている。この基準バーコード板７３に、基準となるバーコードが印刷されており、基準板装着ガイド７４に着脱可能に取り付けられている。このように構成することによって、紙葉類Ｐが、搬送路１６上を高速に搬送されるときに生じる紙粉によって、基準バーコード板が汚れたり、経年変化よって変色したりした場合、容易に交換が可能である。
【００４６】
図４は、バーコードリーダ部７の動作を説明するフローチャートである。この動作は、主制御部５００のＣＰＵ５０４によって制御される。図５は、基準バーコードの読取診断結果が操作表示部５５２に表示された場合の一例である。図６は、基準バーコードの読取診断の結果、誤読が検知された場合の一例である。図７は、業務モードで装置停止中の基準バーコード読取診断の結果、正常な場合の一例である。図８は、業務モードで装置停止中の基準バーコード読取診断の結果、「ＢＣＲ警告」が表示された場合の一例である。以下、図５〜図８も参照しながら説明する。
【００４７】
初めに、装置の電源オンで、バーコードリーダ（ＢＣＲ）７０に対して読取要求を行う（Ｓ１）。
【００４８】
次に、この読取要求に対する応答確認を行う（Ｓ２）。応答確認の結果、応答が無い場合（Ｓ２のなし）、ＢＣＲ７０は未接続であると判断される。一方、この応答確認の結果、応答がある場合（Ｓ２のあり）、基準バーコード板７３に印刷されている基準バーコード（基準ＢＣ）、の読取診断を行う（診断手段、Ｓ４）。この読取診断では、基準バーコードの読取診断を２０００回連続に行う。この読取診断の結果から得られた読取率を主制御部５００が管理する記憶部５０５のバーコードデータエリア５０５Ｅのエリア１に格納する。
【００４９】
次に、上記読取診断の結果、1回でも正常に読み取れなかった場合（Ｓ５のＮｏ）、その情報を、警告手段としての操作表示部５５２に表示し、操作員に対して清掃警告及び確認操作を促す（Ｓ６）。操作表示部５５２には、下記（１）〜（６）の情報が含まれる。図５、図６に上記操作表示部５５２の表示例を示す。  
（１）総件数＝２０００
（２）読取件数（正しく読み取れた回数）＝１８１３
（３）全体読取率（読取件数／総件数）＝１８１３／２０００＝９０．６５％
（４）読み取れなかった回数＝２０００−１８１３＝１８７
（５）誤読件数＝１
（６）誤読率（誤読件数／総読取件数）＝１／１８１３＝０．０５５１５％
なお、図５において、読めなかった場合は、バーコードデータが「ＦＦＦＦ・・・」と表示される。また、誤読した場合は、図６に示すように、誤読した文字列「００５６・・・２」が表示される。
【００５０】
上述した基準ＢＣの読取診断結果に基づいて、清掃警告が表示された場合、操作員は、この清掃警告表示に基づいてＢＣＲ７０の清掃を行い、再診断が必要であるかどうか判断する。この判断の結果、基準ＢＣの読取診断の再診断が必要であると判断した場合（Ｓ７のＹｅｓ）、ステップＳ４に戻って再診断を行う。具体的には、操作表示部５５２の表示画面に設けられた「初期診断再実行」ボタン５０２Ｃを押下する。
【００５１】
操作員が、上記再診断の結果正常になった場合（Ｓ５のＹｅｓ）、又は操作部５０２に表示された内容からＢＣＲ７０は動作可能であると判断した場合（Ｓ７のＮｏ）、「初期診断終了」ボタン５０２Ｄを押下する。この初期診断終了によって、操作表示部５５２は、図７に示す業務モードになる。実施例では、入金業務（入金モード）として計数開始要求受付可の状態になる（Ｓ８）。
【００５２】
この状態では、計数開始要求（通常処理要求）を監視する（Ｓ８）。この計数開始要求監視の結果、計数開始要求がない場合（Ｓ９のＮｏ）、ＢＣＲ７０の診断要因を判定する（Ｓ１０）、この判定の結果、ＢＣＲ７０の診断要因がない場合（Ｓ１０のなし）、計数開始要求又はＢＣＲ７０の診断要求の監視を行う（Ｓ１０のなし→Ｓ８→Ｓ９のＮｏ）。すなわち、計数開始要求がなければ、装置は、処理動作を停止しているため、ＢＣＲ７０の診断要因があれば、この停止期間に継続して基準ＢＣの読取診断を行いながら、計数開始要求を監視する。このような処理を行うことによって、計数開始要求直前までＢＣＲ７０の動作が正常であることを保証することができる。
【００５３】
上記監視の結果、ＢＣＲ７０の診断要因がある場合（Ｓ１０のあり）、基準ＢＣの読取診断を行う（Ｓ１１）。
【００５４】
次に、この読取診断の結果、読取率の変化があったかどうか検査する（検知手段、Ｓ１２）。読取率に変化がない場合（Ｓ１２のなし）、Ｓ８に戻って計数開始要求を判定する。一方、読取率に変化がある場合（Ｓ１２のあり）、操作員に対して清掃警告及び確認操作を促す（警告手段、Ｓ１３）。
【００５５】
一方、ステップＳ９の計数開始要求判定の結果、計数開始要求がある場合（Ｓ９のＹｅｓ）、要求に基づく計数動作（通常処理）を行う（Ｓ１４）。この通常処理において、計数処理を行っていないときは、上述したＢＣＲ７０診断処理を行う。ただし、診断要因が発生していないときには、ＢＣＲ７０診断処理を行わない。この通常処理時の診断中の診断情報は、バーコードデータエリア５０５Ｅのエリア２に格納される。このエリア２においても、上述したように２０００回診断終了後、読取率を算出してバーコードデータエリア３に格納する。次に、電源オン時にバーコードデータエリア１に格納された読取率とデータエリア３に格納された読取率を比較し、バーコードデータエリア１の読取率に比べてバーコードデータエリア３の読取率が低下した場合には、操作表示部５５２にバーコードリーダ警告「ＢＣＲ警告」が表示される（図８参照）。
【００５６】
次に、この計数処理が終了すると、計数動作を停止する（装置を停止する）（Ｓ１５）。
【００５７】
次に、再計数開始要求があるかどうか判定する。この判定の結果、再計数処理が必要な場合、（Ｓ１６のＹｅｓ）、ステップＳ８に戻って同様に処理する。一方、再計数開始要求がない場合（Ｓ１６のＮｏ）、完了処理を判定する（Ｓ１７）。この判定の結果、完了でない場合（Ｓ１７のＮｏ）、ステップ８に戻って同様に処理する。完了の場合（Ｓ１７のＹｅｓ）、装置の電源をオフにしてＢＣＲ７０の処理を終了する。
【００５８】
本実施例では、紙葉類Ｐの先頭にヘッダーカードＨＤを重ね一括して処理する紙葉類処理装置について説明したが、本実施例のバーコード部７は、上述したヘッダーカードＨＤに関わらず、カジノチケットなど金券を処理する装置であっても同様に区分処理することが可能である。ヘッダーカードの場合は、通常リジェクト集積部８０に集積されるが、金券の場合は、操作表示部５５２から指定された集積装置５７〜６２に集積することもできる。
【図面の簡単な説明】
【００５９】
【図１】本発明の実施例による紙葉類処理装置の概略断面図。
【図２】主制御部に接続される紙葉類判別部、搬送制御部、操作表示部、及びバーコードリーダ部の接続状態を示すブロック図。
【図３】バーコードリーダ部の構成を説明するための概略図。
【図４】バーコードリーダ部の動作を説明するフローチャート。
【図５】基準バーコードの読取診断結果を操作表示部に表示した場合の一例。
【図６】基準バーコードの読取診断の結果、誤読が検知された場合の一例。
【図７】業務モードで装置停止中の基準バーコード読取診断の結果、正常な場合の一例。
【図８】業務モードで装置停止中の基準バーコード読取診断の結果、ＢＣＲ警告が表示された場合の一例。
【符号の説明】
【００６０】
Ｈ  １００枚紙葉類
ＨＤ  ヘッダーカード
Ｐ  紙葉類
Ｇ１〜Ｇ８  分岐ゲート
Ｇ１２〜Ｇ１４  分岐ゲート
１１０  紙葉類処理装置
１  紙葉類処理部
１０  供給部
１６  搬送路
１９  紙葉類判別部
７  バーコードリーダ部
θ  読取範囲
７０  バーコードリーダ（ＢＣＲ）
７１  レーザ光
７２  バーコードレーザ照射面
７３  基準バーコード板
７４  基準板装着ガイド
５０  集積部
５７〜６２  集積装置
５００  主制御部
５０２  操作表示部
【図１】
2007156556.tif 000003
【図２】
2007156556.tif 000004
【図３】
2007156556.tif 000005
【図４】
2007156556.tif 000006
【図５】
2007156556.tif 000007
【図６】
2007156556.tif 000008
【図７】
2007156556.tif 000009
【図８】
2007156556.tif 000010